(57)【要約】【課題】      スポット溶接機を使って車体の凹み面部分に多数のワッシャを連射し溶植固定することにより作業効率を向上する。【解決手段】  溶接機に連結する器体１の内面部に作動板５を設け、前記器体の開口部２内にワッシャキーパー７を上下摺動し得るように設置し、このワッシャキーパーの出口部１２の左右両側部に中間に通路１４を形成し、ワッシャキーパーの外側面部中央に角形開口部１０を形成し、この内側方には円形枠板１１を設け、前記角形開口部の一部及び円形枠板の一部からワッシャキーパーの出口部にかけて切開部７'，１１'を設け、前記ワッシャキーパーの角形開口部に嵌合するカセットホルダー１７の一側部に通孔を設け、このカセットホルダーの上方部に伸張弾機２３を受け部材２４を介して設け、この受け部材の下方空間部１８から前記円形枠板内にかけてワッシャの頭部を、その脚部を前記通孔から切開部及び通路にかけて積載する。【選択図】    図  １
2007029958.tif 000002
【特許請求の範囲】
【請求項１】
一側面部及び下側面部を開口状態にしかつ左右両側縁部を設けた器体の内面部に作動板を設け、この作動板の下端部にワッシャの頭部厚さと同形厚さに成る半円形部を形成し、前記器体の開口部内には函形状のワッシャキーパーを定距離間を上下摺動し得るように設置し、このワッシャキーパーの出口部の左右両側部に中間に通路を形成して板発条を設け、ワッシャキーパーの外側面部中央に角形開口部を形成し、この内側方には円形枠板を設け、前記角形開口部の一部及び円形枠板の一部からワッシャキーパーの出口部にかけて前記板発条間の通路に平行に切開部を設け、前記ワッシャキーパーの角形開口部に嵌合するカセットホルダーにはその一側部に通孔を設けるとともに上端に横孔を連設し、このカセットホルダーの上方部に伸張弾機を受け部材を介して設け、この受け部材の下方空間部から前記円形枠板内にかけて多数のワッシャの頭部を積載するとともにその脚部を前記通孔から切開部及び通路にかけて積載し、前記器体をスポット溶接機に連結して成ることを特徴とするワッシャホルダー。
【発明の詳細な説明】
【技術分野】
【０００１】
本発明は、衝突や接触などによって自動車車体の表面にできる各種の凹み面部分の修復のために使用するワッシャ使用のスポット溶接において、その機器の付属品となる多数のワッシャ収容のためのホルダーに関するものである。
【背景技術】
【０００２】
従来、自動車体の凹み面部分を修正するために使用する機器としては、次のようなものが公開されている。
【０００３】
【特許文献１】特開平１１−３３６２９号公報
【特許文献２】特開平９−２０６８３３号公報
【特許文献３】特開２００３−３１１３２７号公報
【特許文献４】特許第３６４４９３０号公報
【発明の開示】
【発明が解決しようとする課題】
【０００４】
しかし、これらの機器は、スポット溶接機を使って凹み面部分に多数のワッシャを連射によって溶植固定し得るものでないことに鑑み、連射を可能にすることによって作業効率を向上し作業性を促進することを目的とするものである。
【課題を解決するための手段】
【０００５】
本発明は、一側面部及び下側面部を開口状態にしかつ左右両側縁部を設けた器体の内面部に作動板を設け、この作動板の下端部にワッシャの頭部厚さと同形厚さに成る半円形部を形成し、前記器体の開口部内には函形状のワッシャキーパーを定距離間を上下摺動し得るように設置し、このワッシャキーパーの出口部の左右両側部に中間に通路を形成して板発条を設け、ワッシャキーパーの外側面部中央に角形開口部を形成し、この内側方には円形枠板を設け、前記角形開口部の一部及び円形枠板の一部からワッシャキーパーの出口部にかけて前記板発条間の通路に平行に切開部を設け、前記ワッシャキーパーの角形開口部に嵌合するカセットホルダーにはその一側部に通孔を設けるとともに上端に横孔を連設し、このカセットホルダーの上方部に伸張弾機を受け部材を介して設け、この受け部材の下方空間部から前記円形枠板内にかけて多数のワッシャの頭部を積載するとともにその脚部を前記通孔から切開部及び通路にかけて積載し、前記器体をスポット溶接機に連結して成るものである。
【発明の効果】
【０００６】
本発明に係るワッシャホルダーの器体をスポット溶接機の一部に連結することによって、同ホルダーにセットしたワッシャを確実かつ迅速に車体の凹み面部分に対し、間髪を入れず多数連射して溶植固定することができるものであるから、作業効率を向上して作業性を促進することを実現することができる。
【発明を実施するための最良の形態】
【０００７】
まず多数のワッシャをホルダーにセットするためには、通孔から突出しているレバーを上方に引き上げると、レバーと一体に成る受け部材の内部に収容せる伸張弾機が収縮するから、レバーが横孔位置に来たときに横孔方向に移動する。すると、レバーはこの横孔の奥部で停止して固定するから、次にホルダーの下端開口部を上向きにして、ここに多数のワッシャを頭部は内部に、脚部は通孔方向に突出して収容する。
【０００８】
しかる後に、ホルダーの下端開口部の八角形基端周面部をワッシャキーパーの八角形開口部内に嵌合する。すると、ホルダーの通孔部がワッシャキーパーの切開部の方向に合わせて一致するから、これによってホルダー内部のワッシャ頭部の脚部はすべてワッシャキーパーの通路方向に揃うようになる。
【０００９】
また、この時、カセットホルダーの基端周面部の切欠部は前記通孔の反対側に位置しているから、ホルダーの嵌合時にはストッパーを親指で摘んで後方移動し、嵌合後に離せばストッパーは弾発して前記切欠部に入りロックするようになる。また、ワッシャキーパーの八角形開口部の前側段部に臨設しているロックレバーを回動して段部に掛合する。
【００１０】
このような状態の後に、前記ホルダー内の受け部材のレバーをその横孔の奥位置から水平に通孔位置まで移動すると、受け部材内部の伸張弾機の収縮が解放されて伸張し、空間部内に収容しているワッシャ頭部のカセット層を受け部材を介して押圧するようになる。
【００１１】
そこで、器体の連結杆をスポット溶接機の所定箇所に取付けた後、器体が溶接機によって下動すれば、ワッシャキーパーの円形枠板内から器体の作動板の半円形部に落下していた最初のワッシャの頭部が押し出されて、その脚部先端が車体の凹み面部に溶植するようになる。一のワッシャが押し出される直前までは、次のワッシャの頭部がワッシャキーパーの円形枠板内に位置してスタンバイしているから、溶接機のスポット作業を連続して行えば、ホルダー内にカセット状に収容されているワッシャの頭部が順次降下して器体作動板の半円形部下に位置するようになり、連続してワッシャの溶植が行われるようになる。
【実施例】
【００１２】
１は全体が長方形の函形状に成る器体で、この器体の一側面部及び下側面部は開口２して成る。この開口部２の曲折形成する左右両側縁部３、３は、開口部２に嵌挿する後記ワッシャキーパー７のスライドガイドとなる。
【００１３】
４は前記器体１の上側部に設ける連結杆で、この連結杆はスポット溶接機のホルダーに装着する。
【００１４】
５は前記器体１の開口部２と反対内面部に固着した作動板で、この作動板の下端部は半円形６に成る。この半円形部の厚さは、後記するワッシャａの頭部ｂの厚さに相当し、器体１の上下作動によってワッシャの頭部が作動板５の半円形部６に接して位置決めとされる。
【００１５】
７は前記函形状の器体１の開口部内部に嵌挿する函形状に成るワッシャキーパーで、このワッシャキーパーの左右両面部にはそれぞれ長孔８，８を設け、この長孔には前記器体１の左右両面部から突設した突子９，９が係合し、器体１の開口部内部の一定距離間を上下にスライド作動する。
【００１６】
１０は前記ワッシャキーパー７の中央部に設けた八角形状の開口部で、この開口部の内側方には円形枠板１１を設ける。この円形枠板１１の高さは適当に成るが、この枠板は後記カセットホルダー１７の内部に載置する多数のワッシャａの頭部ｂが配置収容され、ワッシャの頭部は１個ずつ前記器体１の作動板５の半円形部６方向に落下する。
【００１７】
１２は前記ワッシャキーパー７の前方出口部で、この出口部の左右両側部においてはそれぞれ板発条１３，１３を設け、その中間部に通路１４を形成する。この通路１４には、頭部ｂが前記器体１の作動板５の半円形部６に接しているワッシャａの脚部ｃが挿通作動し、この通路をはさむ前記板発条１３，１３は、ワッシャａの頭部ｂの一面部をその左右両側上方から抑圧しながら、１個ずつ降下して溶植するようにする。
【００１８】
前記ワッシャキーパー７の外側面部中央に設けた前記八角形開口部１０の一部から出口部にかけては切開部７'を形成する。
【００１９】
前記円形枠板１１の前側部には切開部１１'を設け、これはワッシャキーパー７の前方出口部１２に通ずるようになる。
【００２０】
前記角形開口部１０及び円形枠板１１の一部から出る切開部７'１１'は、下方の前記通路１４と平行位置にある。
【００２１】
１５は前記ワッシャキーパー７の八角形開口部１０の前側一部に臨設するロックレバーで、このロックレバーは後記カセットホルダー１７の八角形に成る基端周面部１９の段部に接離するようになる。
【００２２】
前記ロックレバー１５は、カセットホルダー１７の垂直立状態を前側部方向から安定保持するためにある。
【００２３】
１６は前記ワッシャキーパー７の八角形開口部１０の後側中央部上に弾機及び長孔を介して前後に摺動するように設けたストッパーで、このストッパーは後記カセットホルダー１７の八角形に成る基端周面部１９の一部に設けた切欠部２０に係脱するようになる。この切欠部２０は、後記カセットホルダー１７の基端周面部１９の通孔２１とは反対側面に位置する。
【００２４】
前記ストッパー１６は、カセットホルダー１７の垂直立状態を後側部方向から安定保持するためにある。
【００２５】
１７は円筒形状に成るカセットホルダーで、このカセットホルダーの下端開口部１８の外周面には八角形状に成る基端周面部１９を形成する。
【００２６】
２１は前記カセットホルダー１７の一側部に設けた通孔で、この通孔の上端部の一方向には横孔２２を連設する。
【００２７】
２３は前記カセットホルダー１７の内部上方部に設置する伸張弾機で、この弾機の下端部は受け部材２４に嵌合収容し、この受け部材の一端にはレバー２５を突設し、このレバーは前記通孔２１を上下作動しかつ横孔２２に係止するようになる。
【００２８】
前記受け部材２４の下方空間部には、ワッシャａの頭部ｂが脚部ｃを通孔２１から外出して多数積載し、伸張弾機２３によって常時加圧されるようになる。
【００２９】
２６は前記カセットホルダー１７の内部において上下位動する前記受け部材２４の下方部に形成する空間部で、この空間部内にはワッシャａの頭部ｂを脚部ｃを通孔２１方向に突出して収容する。この空間部２６は前記下端開口部１８に通じている。
【００３０】
図４においては、予め多数のワッシャａをカセットホルダー１７の空間部２６に収容セットした状態を示しているが、最初の段階では、伸張弾機２３の受け部材２４のレバー２５が通孔２１上端の横孔２２奥に入ってロックされているから、伸張弾機２３は収縮状態にある。レバー２３を横孔２０のロックから外すと、伸張弾機の弾発力によって受け部材２２が降下するようになるから、収容されている前記ワッシャａの頭部ｂは上方からの押圧状態によって抑止されるようになる。
【００３１】
Ｘは車体、Ｙはこの車体面にできた凹み部分で、衝突の衝撃によってできるこの凹み部分の長さや面積は様々であり、本発明にあっては、この凹み部分の表面に前記ワッシャａの脚部ｃ先端を、スポット溶接機によってピンポイントの衝撃を与えることによって溶植せしめ、これを適当間隔を置いて多数個連射して固定するものである。（図９参照）
【００３２】
必要数のワッシャをスポット溶接によって車体の凹み面部分に溶植せしめた後は、ワッシャ頭部ｂの通孔部に適当長さの作業杆を挿入し、しかる後にこの作業杆を左右両側部から持ち上げることによって、ワッシャを溶植した凹み部分を元の表面体に復元しようとするものである。
【図面の簡単な説明】
【００３３】
【図１】本発明を構成する各部材の斜視図
【図２】二部材を組み合わせた状態とカセットホルダーの斜視図
【図３】三部材を組み合わせた全体の使用時の斜視図
【図４】三部材を組み合わせた全体の使用時の側断面図
【図５】図３の一部切欠側面図
【図６】図３の平断面図
【図７】図６の底面図
【図８】本発明に係るワッシャの斜視図
【図９】(a)(b)(c)(d)は作用順序を示した正面図
【符号の説明】
【００３４】
１                    器体
２                    開口部
３，３                左右両側縁部
４                    連結杆
５                    作動板
６                    半円形部
７                    ワッシャキーパー
７'                  切開部
８，８                長孔
９，９                突子
１０                  八角形の開口部
１１                  前開円形枠板
１１'                切開部
１２                  出口部
１３，１３            板発条
１４                  通路
１５                  ロックレバー
１６                  ストッパー
１７                  カセットホルダー
１８                  下端開口部
１９                  八角形の基端周面部
２１                  通孔
２２                  横孔
２３                  伸張弾機
２４                  受け部材
２５                  レバー
２６                  空間部
【図１】
2007029958.tif 000003
【図２】
2007029958.tif 000004
【図３】
2007029958.tif 000005
【図４】
2007029958.tif 000006
【図５】
2007029958.tif 000007
【図６】
2007029958.tif 000008
【図７】
2007029958.tif 000009
【図８】
2007029958.tif 000010
【図９】
2007029958.tif 000011